(57)【要約】【課題】船が移動したり流されたりするのを防ぐために水底に沈めておくアンカー、特に折り畳み式のアンカーに関し、コンパクトに折り畳みでき、しかも岩場などに食い込んだ際の離脱が容易な折り畳み式アンカーを実現する。【解決手段】アンカー綱２に連結される筒状軸杆１の下端１ａに短リンクＬ１を軸支してあり、前記筒状軸杆１の中に挿通されている芯棒５の下端に長リンクＬ２を軸支してあり、前記の短リンクＬ１の先端と前記の長リンクＬ２の先端とが互いに軸支連結されている構造とする。【選択図】　　　　　図１
2004074918.tif 000002
【特許請求の範囲】
【請求項１】
アンカー綱に連結される筒状軸杆の下端に短リンクを軸支してあり、
前記筒状軸杆の中に挿通されている芯棒の下端に長リンクを軸支してあり、　前記の短リンクの先端と前記の長リンクの先端とが互いに軸支連結されていることを特徴とする折り畳み式アンカー。
【請求項２】
前記の短リンクの先端に、引っ掛け用の爪を形成してあることを特徴とする請求項１に記載の折り畳み式アンカー。
【請求項３】
前記の短リンクの根元側の支軸は引っ掛かり面寄りに配置し、先端側の支軸は、引っ掛かり面から離れるように配置することによって、引っ掛かり面が筒状軸杆に対して鋭角となるように構成してなることを特徴とする請求項１または請求項２に記載の折り畳み式アンカー。
【請求項４】
前記の筒状軸杆の基端が、長リンクの固定手段に当接する構造とすることによって、短リンクの角度設定用のストッパーとしたことを特徴とする請求項１、請求項２または請求項３に記載の折り畳み式アンカー。
【発明の詳細な説明】
【０００１】
【産業上の利用分野】
本発明は、船が移動したり流されたりするのを防ぐために水底に沈めておくアンカー、特に折り畳み式のアンカーに関する。
【０００２】
【従来の技術】
アンカーは矢印状に開いた引っ掛かり用の翼があるため、特に小型の船の場合は、船上に置いてある場合に邪魔になったり、危険を伴うことがある。また、プレジャー用の船などに用いるアンカーを販売店で展示して置く場合も、矢印状に開いているため、邪魔になったり危険を伴う。さらに、嵩張るため、運搬にも不便である。
【０００３】これに対し、特開２００１−１１２３９２号公報に記載のように、矢印状に開いた翼を折り畳める構造のアンカーが提案されている。
【０００４】
【発明が解決しようとする課題】
このように通常の矢印状に開いた翼を軸杆側に折り畳める構造にすると、嵩張ったり邪魔になるなどの問題は解消できる。ところが、水底の岩の多い場所で、アンカーの矢印状に開いた翼が岩場なに食い込んでしまうと、アンカーの引き揚げが不可能となる場合が多い。
【０００５】このような場合に備えて、アンカーの矢印状の先端にもアンカー綱を連結しておき、アンカーの軸杆基端は犠牲綱で前記アンカー綱の途中に連結しておく使い方が採用されている。アンカーの矢印状に開いた翼が岩場に食い込んだりして離脱できない場合は、強度の弱い犠牲綱が切れるので、以後は強度の強いアンカー綱によってアンカーの矢印状の先端側が引っ張られることになる。
【０００６】その結果、矢印状に開いた翼が逆側すなわち尖端側から引き揚げられるため、矢印状に開いた翼の尖端側の引っ掛かり難い部位から引っ張られることになり、岩場などへの食い込みが外れて、脱出可能となるケースが多い。
【０００７】しかしながら、このように岩場などへの食い込みから離脱可能な構成のアンカーにおいて折り畳み可能な構成は実現されていない。
【０００８】本発明の技術的課題は、このような問題に着目し、コンパクトに折り畳みでき、しかも岩場などに食い込んだ際の離脱が容易な折り畳み式アンカーを実現することにある。
【０００９】
【課題を解決するための手段】
本発明の技術的課題は次のような手段によって解決される。請求項１は、アンカー綱に連結される筒状軸杆の下端に短リンクを軸支してあり、前記筒状軸杆の中に挿通されている芯棒の下端に長リンクを軸支してあり、前記の短リンクの先端と前記の長リンクの先端とが互いに軸支連結されていることを特徴とする折り畳み式アンカーである。
【００１０】このように、アンカー綱に連結される筒状軸杆の下端に短リンクを軸支してあり、前記筒状軸杆の中に挿通されている芯棒の下端に長リンクを軸支してあり、前記の短リンクの先端と前記の長リンクの先端とが互いに軸支連結されているため、短リンクと長リンクが矢印状に開いた状態において、犠牲綱を切ってアンカー綱を引っ張って、芯棒に対し筒状軸杆を基端側に移動させると、短リンクと長リンクを平らに延ばして折り畳むことができ、しかも矢印状に開いた引っ掛かり翼が折り畳まれて平坦化され、引っ掛かりが無くなるので、岩場などに食い込んだ際の離脱が容易にかつ確実に行なえる。
【００１１】請求項２は、請求項１に記載の短リンクの先端に、引っ掛け用の爪を形成してあることを特徴とする折り畳み式アンカーである。このように、短リンクの先端に、引っ掛け用の爪を形成してあると、折り畳み構造のアンカーであるにも係わらず、岩場や砂地などへの引っ掛かりがより確実となる。
【００１２】請求項３は、請求項１または請求項２に記載の短リンクの根元側の支軸は引っ掛かり面寄りに配置し、先端側の支軸は、引っ掛かり面から離れるように配置することによって、引っ掛かり面が筒状軸杆に対して鋭角となるように構成してなる折り畳み式アンカーである。
【００１３】このように、短リンクの根元側の支軸は引っ掛かり面寄りに配置し、先端側の支軸は、引っ掛かり面から離れるように配置することによって、短リンクの引っ掛かり面が筒状軸杆に対して鋭角となるため、アンカーの矢印状に開いた翼の部分が鉤状に近い形状となり、岩場などに引っ掛かり易くなる。
【００１４】請求項４は、請求項１、請求項２または請求項３に記載の筒状軸杆の下端が、長リンクの固定手段に当接する構造とすることによって、短リンクの角度設定用のストッパーとしたことを特徴とする折り畳み式アンカーである。
【００１５】このように、筒状軸杆の下端が、長リンクの固定手段に当接する構造とすることによって、短リンクと長リンクが矢印状に開く際の短リンクの角度設定用のストッパーとして作用するため、短リンクおよび長リンクを開いて矢印状の引っ掛かり翼を容易にかつ確実に形成できる。
【００１６】
【発明の実施の形態】
次に本発明による折り畳み式アンカーが実際上どのように具体化されるか実施形態を説明する。図１は本発明による折り畳み式アンカーの全容を示す斜視図である。１は筒状軸杆であり、四角筒状をしている。アンカーの軸杆であるから、その基端にアンカー綱２が連結され、このアンカー綱２を船上のウインチなとで巻き取ったり、人手で手繰ってアンカーを船上に引き揚げる。
【００１７】図２は、矢印状に開いた引っ掛かり翼の拡大斜視図であり、四角筒状の軸杆１の下端寄りにブラケットＢを溶接などで固定してあり、このブラケットＢを挟むように、２本のアングル３１、３２から成る短リンクＬ１の基端を軸４１で軸支してある。
【００１８】四角筒状の軸杆１中には、同じく四角筒状の芯棒５を挿通してあり、この芯棒５の基端（上端）には犠牲綱６が連結される。この芯棒５は筒状軸杆１を貫通しており、筒状軸杆１の下端から突出した芯棒下端５ａに、軸４２で長リンクＬ２の基端を軸支してある。
【００１９】長リンクＬ２を芯棒５側に軸支するには、短リンクＬ１の場合と同様なブラケットＢを介して軸支してもよいが、図示例の場合は、短い四角筒体からなる固定筒７に芯棒５の下端５ａを挿入して固定し、この固定筒７から切り起こしたブラケット７Ｂに長リンクＬ２の基端を軸４２で軸支してある。
【００２０】そして、短リンクＬ１の先端と長リンクＬ２の先端を、支軸４３で連結してある。すなわち、短リンクＬ１は、２本のアングル３１と３２を背中合わせに並べてなり、それぞれの先端の間に、長リンクＬ２の先端を挟むようにして、支軸４３を挿入して軸支してある。図３は、図２の折り畳み式アンカーを反対側から見た斜視図である。
【００２１】このような構造の折り畳み式アンカーは、短リンクＬ１と長リンクＬ２によって、通常のアンカーの矢印状に開いた引っ掛かり翼の作用をする。すなわち、短リンクＬ１の先端が水底の砂地や泥地、岩場などに食い込んだり、引っ掛かったりすることによって、アンカーとして機能することになる。短リンクＬ１の先端に加わる矢印ａ１方向の力は、長リンクＬ２によって支持されることになる。
【００２２】図４は、本発明による折り畳み式アンカーの別の実施形態であり、短リンクＬ１として、図１〜図３における２本のアングルに代えて、２枚の帯板Ｐ１・Ｐ２を用いている。その結果、短リンクＬ１と長リンクＬ２との成す面に対し直角方向の羽根面８が無い構造となる。
【００２３】このように、羽根面８が無い構造にすると、水底からアンカーを引き揚げる際の水の抵抗が減少するので、短時間に容易に引き揚げることができる。これに対し、図１〜図３の短リンクＬ１のように、アングルを用いたことによって羽根面８を設けると、折り畳み式アンカーの短リンクＬ１が砂地や泥地などに食い込んだ状態で、水面上の船が折り畳み式アンカーを引きずって流されようとしても、羽根面８の広い面が大きな抵抗となるため、水底が砂地や泥地などの場合でも船の移動をより確実に防止できる。
【００２４】したがって、図４のように羽根面８の無い構造の場合は、水底が砂地や泥地などの場合には、船の移動を確実に防止できない恐れがある。なお、羽根面８の有無に係わらず、短リンクＬ１の羽根面８側の部位、すなわち砂地や泥地、岩場などに接して抵抗となる部位を「引っ掛かり面」と呼ぶことにする。
【００２５】しかしながら、岩場に対して短リンクＬ１を引っ掛かけて船の移動を防止する上では、羽根面８の有無はあまり関係ない。
【００２６】次に、図５において、折り畳み式アンカーが岩場に食い込んだ際の離脱作用を説明する。折り畳み式アンカーの使用に際しては、図１のように、芯棒５の基端を犠牲綱６を介してアンカー綱２に連結しておく。そして、アンカー綱２と犠牲綱６との連結部２６と筒状軸杆１の基端との間のアンカー綱２ａは、犠牲綱６より充分長くしておく。引っ張り強度は、アンカー綱２より犠牲綱６を弱くしておく。
【００２７】そのため、通常は、犠牲綱６とアンカー綱２を介して本発明の折り畳み式アンカー全体が支持されることになる。その結果、アンカー綱２の筒状軸杆１との弛み綱２ａは図示のように弛んだ状態となる。
【００２８】したがって、アンカー綱２および犠牲綱６を介して折り畳み式アンカーを水底に吊り下げたり、水底から引き揚げたりする。また、短リンクＬ１の先端が岩場に食い込んだりした場合は、強引に引き揚げようとすると、図５（１）のように、短リンクＬ１の先端に岩場などから矢印ａ１方向の抵抗を受けるため、弱い方の犠牲綱６が切れてしまう。すると、アンカー綱２に作用していた引き揚げ力は、芯棒５側から、弛み綱２ａを介して筒状軸杆１側に切り替わる。
【００２９】その結果、短リンクＬ１の先端が岩場などに引っ掛かった状態で筒状軸杆１が基端側すなわち矢印ａ２方向に引っ張られることによって、ブラケットＢが矢印ａ２方向に移動するため、短リンクＬ１の先端９を支点にして、その基端側も筒状軸杆１の基端側に移動して、矢印状に開いた形状が、（２）のように富士山状に裾広がり状になる。
【００３０】アンカー綱２を更に引っ張ると、ブラケットＢが矢印ａ２方向に更に移動するため、短リンクＬ１の基端側が図５（３）のように筒状軸杆１の基端側に更に移動して、富士山状の山の高さが次第にペシャンコに押しつぶされた形状になっていく。そして、最終的には、長リンクＬ２と短リンクＬ１とが、一直線状になる。
【００３１】このように、矢印状に開いた形状の短リンクＬ１と長リンクＬ２が一直線状に真っ直ぐに延びてしまい、岩場などに対する引っ掛かりが無くなるので、折り畳み式アンカーが岩場などから開放され、容易に、しかも確実に岩場から離脱可能となる。
【００３２】離脱したアンカーを再度水中に投入して、船の移動を防止する場合は、短リンクＬ１と長リンクＬ２が真っ直ぐに延びた状態の折り畳み式アンカーを船上に引き揚げてから、図５（３）のように短リンクＬ１と長リンクＬ２が一直線上に延びた状態において、短リンクＬ１と長リンクＬ２との連結部すなわち支軸４３の部分を手で矢印ａ３方向に引っ張って徐々に開いていく。
【００３３】すると、図５における（３）→（２）→（１）の順で短リンクＬ１と長リンクＬ２が徐々に開いていく。図５（１）に鎖線で示すように、短リンクＬ１の支軸４１−４３を結ぶ線１３が筒状軸杆１に対し直角の状態が最大に開いた状態であるが、この状態で、短リンクＬ１の基端側を矢印ａ４方向に押すと、短リンクＬ１も長リンクＬ２と同じ方向に倒れる。
【００３４】つまり、直角の状態から、筒状軸杆１下端１ａを固定筒７側に押すと、９０度以下の角度まで倒れる。しかしながら、このように９０度以下まで倒した構造にしても、岩場などに食い込んだ際に犠牲綱６で芯棒５を引っ張ると、岩場などに引っ掛かっている短リンク先端を支点にして、短リンクＬ１の根元が矢印ａ２方向に移動して、元の９０度に戻って安定する。すなわち、筒状軸杆１と長リンクＬ２と支軸線１３とで直角三角形をなす。
【００３５】したがって、矢印状に開いた翼の引っ掛かりを良くするために、短リンクＬ１の根元側を矢印ａ４方向に押して、９０度以下まで倒す意味がない。結局、筒状軸杆下端１ａが固定筒７に当たることによって、短リンクＬ１の支軸線１３が筒状軸杆１や芯棒５に対し直角となるように位置決めするためのストッパーとして作用する。
【００３６】しかしながら、通常のアンカーの形状からも明らかなように、短リンクＬ１はできる限り、引っ掛かり易い鉤状に形成するのが望まし。そのために、短リンクＬ１の根元側では、支軸４１を引っ掛かり面８ａ寄りに配置し、先端の支軸４３は、引っ掛かり面８ａから離れるように配置すると、支軸線１３に対して羽根面８が倒れるので、θを９０度より小さくしたことになる。
【００３７】いずれにしても、短リンクＬ１より、斜辺である長リンクＬ２を長くする必要がある。そして、短リンクＬ１に対し長リンクＬ２を長くするほど、矢印状の角度が鋭角に尖った形状となり、逆に短めにするほど、矢印状の角度が鈍角に広がった形状となる。
【００３８】次に、運搬や保管、船上に置く場合にも、矢印状に開いた引っ掛かりを形成するための短リンクＬ１と長リンクＬ２を折り畳む必要があるが、この場合も、犠牲綱６を切った状態にするとともに、芯棒５に対し筒状軸杆１を筒状軸杆１基端側（矢印ａ２方向）に移動させるだけでよい。
【００３９】すなわち、固定筒７の部分を片手で押さえた状態で、筒状軸杆１を矢印ａ２方向に引っ張ると、図５の（１）→（２）→（３）の順に短リンクＬ１と長リンクＬ２が折り畳まれていく。その結果、図３（３）のように、短リンクＬ１と長リンクＬ２とが一直線上に真っ直ぐに延びた状態になり、コンパクトになる。
【００４０】短リンクＬ１の先端には、岩場などへの引っ掛かりを確実にするために、引っ掛け爪９を形成してある。すなわち、図１〜図３のようにアングルで形成された羽根面８の先端の角部９を軸杆基端側に多少折り曲げて爪状に形成することによって、岩場などへの引っ掛かりを良くする。
【００４１】また、図４のように、羽根面８の無い構造の場合は、短リンクＬ１を構成する２枚の帯板Ｐ１・Ｐ２の先端９・９を長リンクＬ２と同じ方向に傾斜した形状に形成することによって尖らせておく。そして、さらに、尖った先端９・９が角度αだけ互いに開くように、外側に折り曲げることによって、短リンクＬ１の先端が岩場などに２点で引っ掛かることになり、安定よく引っ掛けることができる。
【００４２】羽根面８を形成するために２本のアングル材を用いているが、断面形状がＴ字状の部材を使用すれば、１本の部材で足り、より簡単な構造となる。また、長リンクＬ２として円筒管を用い、両端を二つ割りして二股状に分岐させると共に、平らに押しつぶした形状にすると、基端側の二股状部中に固定筒７側の切り起こしブラケット７Ｂを挿入して支軸４２で軸支し、反対側の端部の二股状部中に短リンクＬ１の先端を挿入して支軸４３で連結することができる。
【００４３】図示の実施形態では、短リンクＬ１と長リンクＬ２からなる矢印状に開いた引っ掛かり翼は、十文字状に４組形成してあるが、１組のみ形成することも可能である。ただし、１組だけでは、筒状軸杆１に対し左右非対称の形状となり、その結果、重心もアンバランスとなり、傾いた状態でアンカー綱２の下端に吊り下がることになる。
【００４４】筒状軸杆１と芯棒５とが相対的に回転不可能にするには、それぞれ多角形状にするのが好ましいが、回転しても差し支えない場合は、円筒状でもよい。なお、芯棒５も筒状体でもよいが、重量を重くする上では、中空でない、無垢で中実の金属棒が適している。
【００４５】
【発明の効果】
請求項１のように、アンカー綱に連結される筒状軸杆の下端に短リンクを軸支してあり、前記筒状軸杆の中に挿通されている芯棒の下端に長リンクを軸支してあり、前記の短リンクの先端と前記の長リンクの先端とが互いに軸支連結されているため、短リンクと長リンクが矢印状に開いた状態において、犠牲綱を切ってアンカー綱を引っ張って、芯棒に対し筒状軸杆を基端側に移動させると、短リンクと長リンクを平らに延ばして折り畳むことができ、しかも矢印状に開いた引っ掛かり翼が折り畳まれて平坦化され、引っ掛かりが無くなるので、岩場などに引っ掛かった際の離脱が容易にかつ確実に行なえる。
【００４６】請求項２のように、短リンクの先端に、引っ掛け用の爪を形成してあると、折り畳み構造のアンカーであるにも係わらず、岩場や砂地などへの引っ掛かりがより確実となる。
【００４７】請求項３のように、短リンクの根元側の支軸は引っ掛かり面寄りに配置し、先端側の支軸は、引っ掛かり面から離れるように配置することによって、短リンクの引っ掛かり面が筒状軸杆に対して鋭角となるため、アンカーの矢印状に開いた翼の部分が鉤状に近い形状となり、岩場などに引っ掛かり易くなる。
【００４８】請求項４のように、筒状軸杆の下端が、長リンクの固定手段に当接する構造とすることによって、短リンクと長リンクが矢印状に開く際の短リンクの角度設定用のストッパーとして作用するため、短リンクおよび長リンクを開いて矢印状の引っ掛かり翼を容易にかつ確実に形成できる。
【図面の簡単な説明】
【図１】本発明による折り畳み式アンカーの全容を示す斜視図である。
【図２】図１の折り畳み式アンカーにおける矢印状に開いた引っ掛かり翼の拡大斜視図である。
【図３】図２の引っ掛かり翼を反対側から見た斜視図である。
【図４】本発明による折り畳み式アンカーの別の実施形態である。
【図５】折り畳み式アンカーが岩場に食い込んだ際の離脱作用と折り畳み方を説明する断面図である。
【符号の説明】
１　筒状軸杆
２　アンカー綱
２ａ　弛み綱
Ｂ　ブラケット
３１・３２　アングル
４１・４２・４３　支軸
５　芯棒
５ａ　芯棒の下端
６　犠牲綱
Ｌ１　短リンク
Ｌ２　長リンク
７　固定筒
８　羽根面
８ａ　引っ掛かり面
９　引っ掛け爪
【図１】
2004074918.tif 000003
【図２】
2004074918.tif 000004
【図３】
2004074918.tif 000005
【図４】
2004074918.tif 000006
【図５】
2004074918.tif 000007